(57)【要約】      （修正有）【課題】各種店舗などで、支柱や電源線を使用せずに、簡便に載置して使用することができる内照式看板装置を提供する。【解決手段】内照式看板装置は、地面などに載置される架台１上に看板ユニット１０が取り付けられ、看板ユニット１０には、文字等を付した透光板１１の内側から光を照射して表示する発光体が設けられる。架台１の上部に看板ユニット１０が略鉛直に取り付けられ、架台１の一部にソーラーパネル４及び制御函５が取り付けられる。看板ユニット１０には、矩形枠状のフレーム枠１３内に配設された導光板と、導光板の縁部に対向して配置され、導光板内に光を入射させる複数の発光体と、導光板の前面側と背面側の両面に配置され、表示する文字図形等を付した透光板１１と、が設けられる。【選択図】図１
0003171215.tif 000002
【実用新案登録請求の範囲】
【請求項１】
地面などに載置される架台上に看板ユニットが取り付けられ、該看板ユニットには、文字等を付した透光板の内側から光を照射して表示する発光体が設けられてなる内照式看板装置において、
該架台の上部に該看板ユニットが略鉛直に取り付けられると共に、該架台の一部にソーラーパネル及び制御函が取り付けられ、
該看板ユニットには、矩形枠状のフレーム枠内に配設された導光板と、該導光板の縁部に対向して配置され、該導光板内に光を入射させる複数の発光体と、該導光板の前面側と背面側の両面に配置され、表示する文字図形等を付した透光板と、が設けられ、
該制御函には、該ソーラーパネルの太陽電池で発生した起電力をバッテリに充電する充放電制御回路が設けられ、該充放電制御回路は該バッテリからの放電電流を該発光体に供給して看板ユニットを発光表示させることを特徴とする内照式看板装置。
【請求項２】
前記架台は、水平に配置されるベース枠上に、支持枠を鉛直に立設して構成され、該支持枠内に上記看板ユニットを取り付け、該ベース枠と該支持枠との間に前記ソーラーパネルが傾斜して取り付けられたことを特徴とする請求項１記載の内照式看板装置。
【請求項３】
前記充放電制御回路には、時刻設定器を備えたタイマー回路が接続され、看板ユニットの発光体に電力を供給して点灯する時間を、該時刻設定器により設定可能とした請求項１または２記載の内照式看板装置。
【考案の詳細な説明】
【技術分野】
【０００１】
本考案は、各種店舗などで使用する内照式看板装置に関し、特に、店舗のエントランスや駐車スペースなどに、簡便に載置して使用することができる内照式看板装置に関する。
【背景技術】
【０００２】
従来、内照式の看板として、例えば乳白色の透光板を表面に配した看板部の内側に、ＬＥＤ等の発光体を内蔵し、看板部の透光板の表面に文字などを付し、夜間、発光体を点灯させ、内側から照明光を照射して、文字などを明るく表示する構造の内照式看板装置が、下記特許文献１などで知られている。
【先行技術文献】
【特許文献】
【０００３】
【特許文献１】特開２００８−１０７７４５号公報
【考案の概要】
【考案が解決しようとする課題】
【０００４】
しかし、従来のこの種の内照式看板装置は、比較的大型の看板を、道路脇などに設置した支柱の上部に取り付けて使用するものであり、設置する場合には、支柱を立設する工事が必要となるとともに、商用電源線を敷設する敷設工事も必要となる。このため、設置のための施工工事が複雑化し、コストが嵩むという課題があった。
【０００５】
本考案は、上述の課題を解決するものであり、各種店舗などで、支柱や電源線を使用せずに、簡便に載置して使用することができる内照式看板装置を提供することを目的とする。
【課題を解決するための手段】
【０００６】
本考案に係る内照式看板装置は、地面などに載置される架台上に看板ユニットが取り付けられ、該看板ユニットには、文字等を付した透光板の内側から光を照射して表示する発光体が設けられてなる内照式看板装置において、該架台の上部に該看板ユニットが略鉛直に取り付けられると共に、該架台の一部にソーラーパネル及び制御函が取り付けられ、
該看板ユニットには、矩形枠状のフレーム枠内に配設された導光板と、該導光板の縁部に対向して配置され、該導光板内に光を入射させる複数の発光体と、該導光板の前面側と背面側の両面に配置され、表示する文字図形等を付した透光板と、が設けられ、
該制御函には、該ソーラーパネルの太陽電池で発生した起電力をバッテリに充電する充放電制御回路が設けられ、該充放電制御回路は該バッテリからの放電電流を該発光体に供給して看板ユニットを発光表示させることを特徴とする。
【０００７】
この考案によれば、内照式の看板を、店舗のエントランスや駐車スペースなどに、簡単に載置することができ、電源としてのソーラーパネル、バッテリ、充放電制御回路を内蔵するので、設置に際し、商用電源線などを敷設する工事も不要となり、極めて簡単に低コストで設置することができる。
【０００８】
また、夜間などには、バッテリからの放電電流により発光体を発光させて看板ユニットを照明表示するが、看板ユニットには導光板の前面側と背面側の両面に透光板が配されるため、文字図形等を看板ユニットの両面で表示することができる。
【０００９】
ここで、上記架台は、水平に配置されるベース枠上に、支持枠を鉛直に立設して構成され、該支持枠内に上記看板ユニットを取り付け、該ベース枠と該支持枠との間に上記ソーラーパネルを傾斜して取り付けることができる。これによれば、看板装置を安定して地面などの載置することができ、看板ユニットも見やすく表示することができる。
【００１０】
また、上記充放電制御回路には、タイマー回路を接続し、看板ユニットの発光体に電力を供給して点灯する時間を、ユーザが任意に設定して使用できるように構成することが好ましい。これによれば、ユーザは看板を点灯表示する時間を任意にセットして、希望する時間帯のみ、看板を点灯表示することができる。
【考案の効果】
【００１１】
本考案の内照式看板装置によれば、各種店舗などで、支柱や電源線を使用せずに、簡便に載置して使用することができ、文字図形等を看板ユニットの両面で表示することができる。
【図面の簡単な説明】
【００１２】
【図１】本考案の一実施形態を示す内照式看板装置の斜視図である。
【図２】同内照式看板装置の背面側から見た斜視図である。
【図３】看板ユニットの拡大断面図である。
【図４】内照式看板装置の電気回路のブロック図である。
【考案を実施するための形態】
【００１３】
以下、本考案の一実施形態を図面に基づいて説明する。図１，２に示す内照式看板装置は、各種店舗のエントランス、駐車スペースなどに載置して使用される看板装置であり、地面などの上に載置される架台１を備えている。
【００１４】
架台１は、水平に配置される矩形枠状のベース枠２上に、ベース枠２と同様な形状大きさの支持枠３を鉛直に立設して構成され、支持枠３内上部には看板ユニット１０が略鉛直に取り付けられている。ベース枠２と支持枠３は、断面コ字状のチャンネル型金属枠を使用することができるが、金属パイプを曲折して使用することもできる。
【００１５】
さらに、ベース枠２と支持枠３との間に、ソーラーパネル４が傾斜して上方に向くように取り付けられ、昼間に、太陽光を受光する場所に看板装置を載置することにより、効率よく太陽光を受光する構造となっている。ソーラーパネル４で発電した起電力は、制御函５内のバッテリ２１に充電するようになっている。
【００１６】
支持枠３内上部に取り付けられる看板ユニット１０は、図３に示すように、矩形枠状のフレーム枠１３内に配設された導光板１２と、導光板１２の縁部に対向して配置され、導光板１２内に光を入射させる複数の発光体１４と、導光板１２の前面側と背面側の両面に配置され、表示する文字図形等を付した透光板１１とを備えて構成される。
【００１７】
導光板１２は、透明合成樹脂板から形成され、縁部の端面に光入射面が形成され、その端面に対向して、ＬＥＤ等の発光体１４が配置され、発光体１４から照射される光を、導光体１２内に効率良く入射させるように、その端面は形成されている。また、導光板１２の前面と背面には、導光した光を拡散する拡散面が形成され、透光板１１内の表面に達した光を、その前面及び背面から拡散光として出射するように、導光板１２は構成されている。
【００１８】
発光体１４は、細長い帯状の基板１４ａ上に複数のＬＥＤ（白色発光ダイオード）を、間隔をおいて実装して構成され、多数の発光体１４を配置した帯状の基板１４ａは、例えば、導光板１２の両側の側面（端面）に沿って配設される。看板ユニット１０の周囲には、フレーム枠１３が取り付けられ、基板１４ａ、発光体１４、及び導光板１２の縁部は、フレーム枠１３により覆われる構造とされる。
【００１９】
架台１のベース枠２は、載置場所の地面などに置かれるが、平板状に形成されるため、安定して看板装置を載置することができる。なお、移動を容易にするために、ベース枠２の四隅底面側にキャスターが取り付けられる。
【００２０】
図２に示すように、ベース枠２上には、制御函５が取り付けられ、制御函５には、バッテリ２１、充放電制御回路２０等が収納される。図４に示すように、充放電制御回路２０には、太陽電池４ａ、バッテリ２１、点灯回路２２等が接続され、昼間に、ソーラーパネル４の太陽電池４ａで発生した起電力をバッテリ２１に充電し、夜間には、バッテリ２１から放電した電力を発光体１４に供給し、発光体１４を点灯するように制御する。
【００２１】
充放電制御回路２０には、例えばＰＷＭ制御回路が設けられ、太陽電池４ａで発電された起電力をバッテリ２１に充電する場合、バッテリ２１の電圧に応じて充電電流をパルス幅変調して、充電電流を制御するように構成される。充放電制御回路２０のＰＷＭ制御回路は、バッテリ電圧に応じてパルス幅（パルスのデューティ比）を変化させ、最も高い充電効率で充電を行なうように動作する。
【００２２】
図４に示すように、充放電制御回路２０には昼夜判別回路２３とタイマー回路２４が接続される。昼夜判別回路２３は、周囲の明るさを検出し、昼と夜を区別する信号を充放電制御回路２０に出力し、充放電制御回路２０は夜信号を入力する夜間になると、バッテリ２１への充電を放電に切り替え、点灯回路２２に電力を供給して、発光体１４を点灯させる。
【００２３】
タイマー回路２４には、時刻設定器２５が設けられ、ユーザが看板ユニット１０の点灯時刻と消灯時刻を時刻設定器２５に設定している場合、充放電制御回路２０は、点灯時刻になると、その回路をバッテリ２１の放電側に切り替えて点灯回路２２にバッテリ２１の電力を供給し、看板ユニット１０を点灯させ、消灯時刻になると、点灯回路２２を消灯させるように動作する。
【００２４】
上記のように構成される内照式看板装置は、例えば、各種店舗のエントランス、駐車スペースなどに載置して使用される。看板ユニット１０の両側面の透光板１１には、看板用の文字図形などが付されるが、バックライトにより文字図形などが照明されるように、各種色彩の透光性の文字図形が付される。
【００２５】
内照式看板装置のソーラーパネル４は、昼間、太陽光を受けて起電力を発生し、起電力は太陽電池４ａから充放電制御回路２０を通してバッテリ２１に送られ、充電が行われる。このとき、充放電制御回路２０のＰＷＭ制御回路は、バッテリ２１の電圧に応じて充電電流をパルス幅変調して充電電流を制御し、最も高い充電効率でバッテリ２１に充電を行なう。
【００２６】
夜間になると、または設定された点灯時刻になると、充放電制御回路２０は充電から放電に切り替わり、バッテリ２１からの放電電流を、点灯回路２２を通して看板ユニット１０の発光体１４に供給する。これにより、発光体１４が発光し、看板ユニット１０内の導光板１２の両面から照明光が正面と背面に照射され、看板ユニット１０の表示面である透光板１１がバックライトにより照明される。
【００２７】
これにより、看板ユニット１０の正面と背面の看板用の文字図形が、バックライトにより照明され、各種色彩の透光性の文字図形が浮かび上がるように表示される。この看板ユニット１０の点灯は、タイマー回路２４の消灯時刻まで継続し、或いは昼夜判別回路２３が夜から昼を検出して昼信号を出力するときまで継続し、消灯時刻或いは昼信号の発生時、看板ユニット１０の発光体１４は消灯する。
【００２８】
このように、内照式看板装置は、安定した架台１によって、店舗のエントランスや駐車スペースなどに、簡単に載置することができ、電源としてのソーラーパネル４、バッテリ２１、充放電制御回路２０を有しているので、設置に際し、商用電源線などを敷設する工事も不要となり、極めて簡単に低コストで設置することができる。
【００２９】
また、夜間などには、バッテリ２１からの放電電流により発光体１４を発光させて看板ユニット１０を照明表示し、看板ユニット１０には導光板１２の前面側と背面側の両面に透光板１１が配されるため、文字図形等を看板ユニット１０の両面で表示することができる。
【００３０】
また、架台１は、水平に配置されるベース枠２上に、支持枠３を鉛直に立設し、支持枠３内に看板ユニット１０を取り付け、ベース枠２と支持枠３との間にソーラーパネル４を傾斜して取り付けているため、看板装置を安定して地面などの載置することができ、看板ユニット１０も見やすく表示することができる。
【００３１】
また、充放電制御回路２０には、時刻設定器２５付きのタイマー回路２４を接続し、看板ユニット１０の発光体１４に電力を供給して点灯する時間を、ユーザが任意に設定して使用できるので、ユーザは看板を点灯表示する時間を任意にセットして、希望する時間帯のみ、看板を点灯表示することができる。
【符号の説明】
【００３２】
１      架台
２      ベース枠
３      支持枠
４      ソーラーパネル
４ａ    太陽電池
５      制御函
１０    看板ユニット
１１    透光板
１２    導光板
１３    フレーム枠
１４    発光体
１４ａ  基板
２０    充放電制御回路
２１    バッテリ
２２    点灯回路
２３    昼夜判別回路
２４    タイマー回路
２５    時刻設定器
【図１】
0003171215.tif 000003
【図２】
0003171215.tif 000004
【図３】
0003171215.tif 000005
【図４】
0003171215.tif 000006